(57)【要約】【課題】表示部の傾斜角度を変えても内蔵するディスクドライブを所定の角度に維持しつつ、薄型に構成可能な表示部一体型情報処理装置を提供する。【解決手段】筐体は回転する情報媒体に対して情報の読み書きを行うディスクドライブをディスクドライブ収容部に収容し、一端が設置面に接し、筐体に対して固定された第１支点を中心として回動可能に他端が保持された一対の脚部と、一端が一対の脚部の第１支点から所定の長さのところにある中間支点を中心として回動可能に保持され、他端がディスクドライブ収容部に設けられた第２支点を中心として回動可能に保持され、所定の長さを有する一対の距離維持部とを有し、一対の脚部の一方が筐体に固定されるよう、入力された情報を処理する情報処理部と情報処理部の出力をユーザに視認可能に表示する表示部とを同一筐体に収容して一体に構成した表示部一体型情報処理装置を構成する。【選択図】図１
2010231551.tif 000002
【特許請求の範囲】
【請求項１】
入力された情報を処理する情報処理部と前記情報処理部の出力をユーザに視認可能に表示する表示部とを同一筐体に収容して一体に構成した表示部一体型情報処理装置において、
前記筐体は回転する情報媒体に対して情報の読み書きを行うディスクドライブをディスクドライブ収容部に収容し、
一端が設置面に接し、前記筐体に対して固定された第１支点を中心として回動可能に他端が保持された一対の脚部と、
一端が前記一対の脚部の前記第１支点から所定の長さのところにある中間支点を中心として回動可能に保持され、他端が前記ディスクドライブ収容部に設けられた第２支点を中心として回動可能に保持され、前記所定の長さを有する一対の距離維持部とを有し、
前記一対の脚部の一方が前記筐体に固定されていることを特徴とする、表示部一体型情報処理装置。
【請求項２】
前記ディスクドライブ収容部を摺動可能に前記第１支点と接続するディスクドライブ保持部をさらに有することを特徴とする、請求項１に記載の表示部一体型情報処理装置。
【請求項３】
前記筐体が、前記一対の脚部のうち前記筐体に固定されていない一方を筐体外部に出すための開口を有し、
前記一対の脚部のうち前記筐体に固定されていない方の、前記第１支点を中心とする回動に追従して前記開口を塞ぐカバーを有することを特徴とする、請求項１または２に記載の表示部一体型情報処理装置。
【請求項４】
前記カバーが、前記一対の脚部のうち前記筐体に固定されていない方が通る穴を有していることを特徴とする、請求項３に記載の表示部一体型情報処理装置。
【請求項５】
入力された情報を処理する情報処理部と前記情報処理部の出力をユーザに視認可能に表示する表示部とを同一筐体に収容して一体に構成した表示部一体型情報処理装置の角度調整機構であって、
一端が設置面に接し、前記筐体に対して固定された第１支点を中心として回動可能に他端が保持された一対の脚部と、
一端が前記一対の脚部の前記第１支点から所定の長さのところにある中間支点を中心として回動可能に保持され、他端が回転する情報媒体に対して情報の読み書きを行うディスクドライブ収容部に設けられた第２支点を中心として回動可能に保持され、前記所定の長さを有する一対の距離維持部とを有し、
前記一対の脚部の一方が前記筐体に固定されていることを特徴とする、角度調整機構。
【発明の詳細な説明】
【技術分野】
【０００１】
本発明は、ディスクドライブを内蔵し、表示部の傾斜角度を変えることのできる表示部一体型情報処理装置に関する。
【背景技術】
【０００２】
パーソナルコンピュータなどの情報処理装置を、中央処理ユニット(CPU)やメモリやディスクドライブを有する本体筐体と液晶ディスプレイパネル(LCD)などの表示部を有する表示筐体とで構成することができる。このように構成された情報処理装置は、本体筐体と表示筐体との間をケーブル等で接続する必要があり、初期設定時の作業が煩雑である。また、情報処理装置を異なる場所に移設する場合には、接続解除、筐体ごとの移設、再接続という手順が必要となり、これも煩雑である。
【０００３】
かかる問題に対処すべく、近年、本体筐体に表示部を有するようにして情報処理装置を一体に構成することがある。このように構成されると、上記初期設定時や移設時の煩雑さは解消される。
【０００４】
ところで、情報処理装置の表示部とユーザの目の位置との関係は、情報処理装置の設置場所やユーザの体格その他の条件によって様々である。よって、使用される条件に応じて表示部の角度を調整できるようにすることは、ユーザの使いやすさを確保する上で重要である。
【０００５】
一方、ディスクドライブは回転するディスク型の情報媒体に対して情報の読み書きを行う記憶装置であるが、情報媒体に対して高密度に情報を記録しているため、傾斜角度の許容範囲が狭くなっている。表示部とディスクドライブとを内蔵した情報処理装置において、表示部の傾斜角度を変えるときに、ディスクドライブの設置角度まで変わると、上記許容範囲を超えて動作に支障を来たす場合がある。
【０００６】
表示部一体型情報処理装置の回動角度を大きくしても記憶媒体駆動装置が動作保証の許容範囲内で使用できるようにするために、表示面を傾斜させるための本体部の回動に対して、記憶媒体駆動装置のみ水平維持させる機構を設けることが、特許文献１に記載されている。
【先行技術文献】
【特許文献】
【０００７】
【特許文献１】特開２０００−２７６２５５号公報
【発明の概要】
【発明が解決しようとする課題】
【０００８】
近年、設置面積の最小化やデザイン上の要請から、表示部一体型情報処理装置の薄型化、すなわち奥行の最小化が求められている。
【０００９】
特許文献１に記載の表示部一体型情報処理装置は、ディスクドライブを表示部と直交する方向、すなわち前後で支持して水平に維持するようにしている。かかる構成においてディスクドライブの角度をなるべく維持するためには、ディスクドライブを略直方体としたときの最長辺を前後方向となるように配置することが必要となる。つまり、表示部一体型情報処理装置の奥行をディスクドライブの最長辺以上にとらなければならないので、表示部一体型情報処理装置の薄型化の要請に応えることができない。
【００１０】
そこで、本発明は、表示部の傾斜角度を変えても内蔵するディスクドライブを所定の角度に維持しつつ、薄型に構成可能な表示部一体型情報処理装置を提供することを目的とする。
【課題を解決するための手段】
【００１１】
本発明の表示部一体型情報処理装置は、入力された情報を処理する情報処理部と情報処理部の出力をユーザに視認可能に表示する表示部とを同一筐体に収容して一体に構成した表示部一体型情報処理装置において、筐体は回転する情報媒体に対して情報の読み書きを行うディスクドライブをディスクドライブ収容部に収容し、一端が設置面に接し、筐体に対して固定された第１支点を中心として回動可能に他端が保持された一対の脚部と、一端が一対の脚部の第１支点から所定の長さのところにある中間支点を中心として回動可能に保持され、他端がディスクドライブ収容部に設けられた第２支点を中心として回動可能に保持され、所定の長さを有する一対の距離維持部とを有し、一対の脚部の一方が筐体に固定されていることを特徴とする。
【００１２】
本発明の角度調整機構は、入力された情報を処理する情報処理部と情報処理部の出力をユーザに視認可能に表示する表示部とを同一筐体に収容して一体に構成した表示部一体型情報処理装置の角度調整機構であって、一端が設置面に接し、筐体に対して固定された第１支点を中心として回動可能に他端が保持された一対の脚部と、一端が一対の脚部の第１支点から所定の長さのところにある中間支点を中心として回動可能に保持され、他端が回転する情報媒体に対して情報の読み書きを行うディスクドライブ収容部に設けられた第２支点を中心として回動可能に保持され、所定の長さを有する一対の距離維持部とを有し、一対の脚部の一方が筐体に固定されていることを特徴とする。
【発明の効果】
【００１３】
本発明によれば、表示部の傾斜角度を変えても内蔵するディスクドライブを所定の角度に維持しつつ、薄型に構成可能な表示部一体型情報処理装置を提供できる。
【図面の簡単な説明】
【００１４】
【図１】本実施形態の表示部一体型情報処理装置の略断面図である。
【図２】表示部を設置面に対して比較的垂直に近い状態にしたときの本実施形態の角度調整機構の側面図である。
【図３】表示部を設置面に対して比較的水平に近い状態にしたときの本実施形態の角度調整機構の側面図である。
【発明を実施するための形態】
【００１５】
以下、図面を参照して本発明を実施するための形態について詳細に説明する。本実施形態は、角度調整機構によって表示部の傾斜角度を変えても内蔵するディスクドライブを所定の角度に維持可能な、表示部一体型情報処理装置である。
【００１６】
図１は、本実施形態の表示部一体型情報処理装置の略断面図であり、表示部と設置面とにそれぞれ直交する面で切断したものである。（ａ）は表示部を設置面に対して比較的垂直に近い状態を、（ｂ）は比較的水平に近い状態に調整した状態を示している。図１を参照すると、表示部一体型情報処理装置は筐体１、表示部２、情報処理部３、角度調整機構４、ディスクドライブ５とカバー６とを有する。
【００１７】
筐体１は、表示部一体型情報処理装置の内部部品を収納し、プラスチックや金属など、所定の形状を維持可能な材質によって構成可能である。筐体１の表示部２に対向する面は、断面が略半円状になるよう構成されている。かかる略半円状の断面は、角度調整機構４に対応して設けられるものであって、角度調整機構４に対応しない箇所では筐体１の背面を略半円状にする必要はない。また、筐体１の内側でカバー６と接する断面を略半円状に構成すれば足り、内側を略半円状にした上で外側を矩形に構成することも可能である。
【００１８】
表示部２は、筐体１のユーザに対向する面に配置される。表示部２は、情報処理部３の処理結果を視覚的に表示するものであり、液晶ディスプレイやプラズマディスプレイ、有機ＥＬディスプレイなどの薄型の表示装置によって構成可能である。
【００１９】
情報処理部３は、情報処理を行って表示部２で表示すべき情報を生成する。情報処理部３は、例えば中央処理ユニット、メモリ、画像処理ユニット等を備える基板によって構成可能である。筐体１における配置は任意であるが、本実施形態では角度調整機構４の表示部２側の脚に所定の部材を介して取り付けた状態を示している。これにより、筐体１を介することなく情報処理部３の重量を設置面に伝えることができるため、筐体１の設計の自由度を高めることができる。
【００２０】
角度調整機構４は、ディスクドライブ５の角度を一定に保ちつつ、表示部２の角度を調整する。角度調整機構４は、表示部２側の脚が筐体１に固定されている。本実施形態では、角度調整機構４は筐体１と別部材として構成しているが、これに限られるものではなく、角度調整機構４の表示部２側の脚を筐体１と一体とするなど、筐体１と一体になって角度調整機構４を構成するようにしてもよい。角度調整機構４については後述する。
【００２１】
ディスクドライブ５は、回転するディスク型の情報媒体に対して情報の読み書きを行う、情報処理部３の補助記憶装置である。ディスクドライブ５は、具体的には、磁気ディスクドライブ、光ディスクドライブ、光磁気ディスクドライブなどにより構成可能である。ディスクドライブ５は、角度調整機構４により、表示部２の角度を変更しても、設置面に対する角度が変わらないよう保持されている。
【００２２】
カバー６は、角度調整機構４の脚を筐体１から出すための開口部を塞ぐ。略半円状の断面を有する開口部に対応して、カバー６も略半円状の断面を有するよう構成されている。カバー６の略中央部には、角度調整機構４の脚の太さに対応した穴が開かれ、脚が摺動可能になっている。このように構成することで、角度調整機構４の角度変更に追随してカバー６が筐体１の開口を塞ぐため、情報処理部３などの不具合の原因となる埃が筐体１の内部に侵入するのを防ぐことができる。
【００２３】
次に、図２と図３を参照して、角度調整機構４の構成を詳述する。図２は、表示部を設置面に対して比較的垂直に近い状態にしたときの本実施形態の角度調整機構の側面図、図３は、表示部を設置面に対して比較的水平に近い状態にしたときの本実施形態の角度調整機構の側面図である。
【００２４】
図２を参照すると、角度調整機構４は、第１支点１０、脚部１１ａ、１１ｂ、中間支点１２ａ、１２ｂ、距離維持部１３ａ、１３ｂ、ディスクドライブ支持部１４、ディスクドライブ収容部１５および第２支点１６を有する。角度調整機構４の各構成要素は、プラスチックや金属など所定の強度を有する材質で適宜構成可能である。
【００２５】
第１支点１０は、脚部１１ａ、１１ｂおよびディスクドライブ支持部１４を回動可能に支持する。脚部１１ａおよび１１ｂは、設置面に接して表示部一体型情報処理装置の重量を支える。脚部１１ａおよび１１ｂの設置面に接する端部には、ゴムなどの滑り止め部材を備えるようにすると、より安定して重量を支えることができて好適である。上述のとおり、脚部１１ａまたは１１ｂの一方は筐体１に固定される。また、筐体１に固定された脚部に、さらに情報処理部３を取り付けてもよい。
【００２６】
中間支点１２ａおよび１２ｂは、脚部１１ａおよび１１ｂ上の所定の地点において距離維持部１３ａおよび１３ｂを回動可能に支持する。距離維持部１３ａおよび１３ｂは、所定の長さを有する部材であり、中間支点１２ａおよび１２ａと第２支点１６との間の距離を一定に維持する。
【００２７】
ディスクドライブ支持部１４は、第１支点１０で回動可能に支持されるとともに、ディスクドライブ収容部１５と摺動可能に接続される。ディスクドライブ収納部１５は、ディスクドライブ支持部１４と摺動可能に接続されるとともに、ディスクドライブ５を所定の角度で固定して収納する。
【００２８】
第２支点１６は、ディスクドライブ収容部１５に設けられ、距離維持部１３ａおよび１３ｂを回動可能に支持する。
【００２９】
このような角度調整機構４の構成において、第１支点１０と中間支点１２ａおよび１２ｂ、中間支点１２ａおよび１２ｂと第２支点１６との間の長さはそれぞれ等しく、菱形を構成するようになっている。また、中間支点１２ａおよび１２ｂから設置面までの距離もそれぞれ等しくなっている。
【００３０】
図２では、表示部を設置面に対して比較的垂直に近い状態にしているため、脚部１１ａと１１ｂとの間の角度が小さくなり、中間支点１２ａと１２ｂとの距離が短くなっている。これにより、第１支点１０と第２支点１６との距離が長くなり、ディスクドライブ収容部１５は、相対的に設置面寄りに位置する。このとき、ディスクドライブ収容部１５の設置面に対する角度は変わらない。
【００３１】
図３では、表示部を設置面に対して比較的水平に近い状態にしているため、脚部１１ａと１１ｂとの間の角度が大きくなり、中間支点１２ａと１２ｂとの距離が長くなっている。これにより、第１支点１０と第２支点１６との距離が短くなり、ディスクドライブ収容部１５は、相対的に設置面から離れて位置する。このときも、ディスクドライブ収容部１５の設置面に対する角度は変わらない。
【００３２】
以上のように構成することで、表示部の傾斜角度を変えても内蔵するディスクドライブを所定の角度に維持する表示部一体型情報処理装置を、薄型に構成することができる。
【符号の説明】
【００３３】
１    筐体
２    表示部
３    情報処理部
４    角度維持機構
５    ディスクドライブ
１０  第１支点
１１  脚部
１２  中間支点
１３  距離維持部
１４  ディスクドライブ支持部
１５  ディスクドライブ収容部
１６  第２支点
【図１】
2010231551.tif 000003
【図２】
2010231551.tif 000004
【図３】
2010231551.tif 000005